(57)【要約】【課題】物干し台の転倒が有利に防止され得ると共に、地盤に対する設置スペースの小形化が有利に図られ得ることに加え、既存の基台にも有利に適用され得る、新規な構造の物干し台設置具を提供する。【解決手段】基台３０の上に配設されて基台３０と支柱下端部分との少なくとも一方に対して係止される係止部分１６と、基台３０の外周部分において地盤１４に打設される複数のアンカー部分１８とを設けて、基台３０の外周部分の複数箇所において係止部分１６をアンカー部分１８で地盤１４に固定するようにした。【選択図】図１
2008307300.tif 000002
【特許請求の範囲】
【請求項１】
地盤に載置される基台と該基台によって支持されて上方に突設される支柱とを有する物干し台の設置に用いられて、該物干し台の転倒を防止する物干し台設置具において、
前記基台の上に配設されて該基台と前記支柱下端部分との少なくとも一方に対して係止される係止部分と、該基台の外周部分において前記地盤に打設される複数のアンカー部分とを設けて、該基台の外周部分の複数箇所において該係止部分を該アンカー部分で該地盤に固定するようにしたことを特徴とする物干し台設置具。
【請求項２】
前記基台が上部から下部に向かって次第に寸法が大きくなる台形状とされている一方、
前記係止部分が前記基台の中央部分を通って該基台を跨いで延びる門形状を有する剛性材で形成されて、その中央部分が該基台の天端面に重ね合わされると共に、その両側部分が該基台の両側傾斜面に沿って延びて配設されるようになっており、
該係止部分の両下端にそれぞれ前記アンカー部分が設けられている請求項１に記載の物干し台設置具。
【請求項３】
前記係止部分が変形容易な網構造とされて前記基台の上面の全体を覆うように配設されるようになっていると共に、前記支柱が該係止部分の中央部分に挿通されるようになっている請求項１に記載の物干し台設置具。
【請求項４】
前記係止部分は、前記支柱に対して係止される支柱用係止部と、該支柱用係止部を前記アンカー部分に連結する連結部とを、含んで構成されている請求項１乃至３の何れか一項に記載の物干し台設置具。
【請求項５】
前記支柱の下端部に対して外挿状態で嵌め合わされる支柱嵌合リングによって、前記支柱用係止部が構成されている請求項４に記載の物干し台設置具。
【請求項６】
前記係止部分は、前記基台に対して係止される基台用係止部と、該基台用係止部を前記アンカー部分に連結する連結部とを、含んで構成されている請求項１乃至３の何れか一項に記載の物干し台設置具。
【請求項７】
前記基台が上部から下部に向かって次第に寸法が大きくなる台形状とされている一方、
この基台の高さ方向中間部分に嵌め合わされる基台嵌合リングによって、前記基台用係止部が構成されている請求項６に記載の物干し台設置具。
【請求項８】
前記係止部分が金属材料で形成されていると共に、該係止部分を覆う合成樹脂製の被覆部材が設けられている請求項１乃至７の何れか一項に記載の物干し台設置具。
【請求項９】
請求項１乃至８の何れか一項に記載の物干し台設置具が取り付けられたことを特徴とする物干し台。
【発明の詳細な説明】
【技術分野】
【０００１】
本発明は、物干し台の地盤への設置に用いられる物干し台設置具やかかる物干し台設置具を備えた物干し台に関するものである。
【背景技術】
【０００２】
従来から、民家の庭先や軒先等において物干し竿を水平に支持せしめる道具として、物干し台が知られている。物干し台は、一般に、一方の端部側に物干し竿の支持部を備えた棒状の支柱と、コンクリート製等の重量物からなり且つ支柱の他方の端部が差し入れられる凹所を備えた基台を含んで構成されており、基台が地盤に載置されることで、支持部が地盤から所定の高さ位置に保持されるようになっている。複数の物干し台が水平方向に離隔配置されて、物干し竿の複数箇所が各物干し台の支持部に支持されることにより、物干し竿が地盤から所定の高さ位置で水平方向に延びる状態が維持されるようになっている。
【０００３】
ところで、物干し台には、洗濯物や布団等を物干し竿に吊り下げて干す際に、洗濯物および物干し竿の荷重が、支柱の支持部から基台に向かって及ぼされる。そこで、洗濯物の横方向から風圧力が及ぼされると、支持部が基台の回りに回転する方向のモーメントが生ぜしめられる。かかるモーメントは風圧力の大きさや洗濯物が風圧を受ける面積に比例するのであり、特に、洗濯物や物干し竿、物干し台の荷重に比して十分に大きなモーメントが作用せしめられた場合に、支持部の基台回りの変位に伴い支柱が地盤に倒れるように変位すると共に、基台の地盤に載置された部分が地盤から離隔して、基台の載置状態が不安定となり、延いては物干し台が転倒することがあった。従って、風圧力の大きな風の強い日に、形状の大きな洗濯物や数多くの洗濯物を干した場合等において、大きなモーメントの発生により、物干し台が転倒する場合があることは、経験上でも、良く知られているところである。
【０００４】
このような問題に対処するための方策の一つとして、形状が大きくて且つ重量の大きな基台を採用して、基台の地盤に対する載置安定性を向上させることが考えられる。これにより、上述のモーメントによる基台の変位が抑えられて、支持部を備えた支柱の基台回りの変位が抑制される結果、物干し台の転倒が防止されることとなる。
【０００５】
しかしながら、基台の大型化は、大きな設置スペースが要求されるだけでなく、取り扱いや搬送の労力負担が過大となってしまうことから、目的とする転倒防止効果が十分に得られる程度にまで基台を大型化することは現実的でない。
【０００６】
そこで、上述の問題に鑑み、特許文献１（特開２０００−２４３８８号公報）や特許文献２（実開昭４７−１４４３８号公報）、特許文献３（実開昭４７−１６７３７号公報）には、基台の下端外周縁部から外方に延び出す脚部材を設けて、基台と共に脚部材を地盤に載置する構造が提案されている。また、特許文献４（実公昭４２−２１２４９号公報）や特許文献５（実開昭６１−１６０８９５号公報）には、基台に複数の貫通孔を形成し、それら貫通孔にアンカー杭を挿通させて地盤に打ち込むことにより、基台を地盤に固定する構造が提案されている。
【０００７】
ところが、これら脚部材を設けたり、アンカー杭を打ち込む構造とされた物干し台の何れにおいても、脚部材やアンカー杭等を基台に固定するために、基台の形状が限定されたり、基台に特別な加工を施す場合が多かった。その結果、既に地盤に載置された既存の基台には、容易に適用され難い問題を内在していたのである。
【０００８】
しかも、上述の脚部材を備えた特許文献１〜３に係る物干し台において、十分な転倒防止効果を得るには、脚部材を外方に大きく張り出させる必要があった。そのため、基台が実質的に大型化されて、大きな設置スペースが必要とされるだけでなく、人が足を引っ掛け易くなる可能性があった。
【０００９】
【特許文献１】特開２０００−２４３８８号公報
【特許文献２】実開昭４７−１４４３８号公報
【特許文献３】実開昭４７−１６７３７号公報
【特許文献４】実公昭４２−２１２４９号公報
【特許文献５】実開昭６１−１６０８９５号公報
【発明の開示】
【発明が解決しようとする課題】
【００１０】
ここにおいて、本発明は上述の如き事情を背景として為されたものであり、その解決課題とするところは、物干し台の転倒が有利に防止され得ると共に、地盤に対する設置スペースの小形化が有利に図られ得ることに加え、既存の基台にも有利に適用され得る、新規な構造の物干し台設置具や、かかる物干し台設置具を備えた物干し台を提供することにある。
【課題を解決するための手段】
【００１１】
以下、前述の課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載されたもの、或いはそれらの記載から当業者が把握することの出来る発明思想に基づいて認識されるものであることが理解されるべきである。
【００１２】
すなわち、本発明の特徴とするところは、地盤に載置される基台と基台によって支持されて上方に突設される支柱とを有する物干し台の設置に用いられて、物干し台の転倒を防止する物干し台設置具において、基台の上に配設されて基台と支柱下端部分との少なくとも一方に対して係止される係止部分と、基台の外周部分において地盤に打設される複数のアンカー部分とを設けて、基台の外周部分の複数箇所において係止部分をアンカー部分で地盤に固定するようにした物干し台設置具にある。
【００１３】
このような本発明に従う構造とされた物干し台設置具においては、基台と支柱の少なくとも一方（以下、基台等ともいう。）が、係止部分およびアンカー部分を介して地盤に固定的に支持される。これにより、支柱が基台を中心に回転する方向のモーメントの発生に伴い、支柱が地盤に向かって倒れると共に基台の地盤に載置された部分が地盤から離隔する方向に変位する際に、アンカー部分の地盤に対する固定力が当該変位を妨げる抗力として働いて、基台等が係止部分に確実に係止される。それによって、物干し台の転倒が有利に防止され得る。
【００１４】
しかも、係止部分が基台上に配設され、且つアンカー部分が基台の外周部分の地盤に固定された形態で、目的とする転倒防止効果が十分に得られることから、これら係止部分やアンカー部分を基台から外方に特別に大きく張り出させる必要がない。その結果、地盤に対する設置スペースの小形化が有利に図られ得る。
【００１５】
加えて、係止部分が基台上に配設されて基台と支柱下端部分の少なくとも一方に係止されると共に、アンカー部分が地盤に固定されることによって、物干し台設置具が物干し台に取り付けられるようになっているため、基台が地盤に載置された状態で取り付けることも可能である。それ故、新たに地盤に設置される基台は勿論のこと、既に地盤に設置されている既存の基台に対しても容易に取り付けることが出来、適用範囲が有利に広がる。
【００１６】
なお、係止部分が基台等に係止されるとは、支柱の基台回りの変位に伴い支柱が地盤に倒れる変位と、基台の地盤に載置された部分が地盤から離隔する変位の少なくとも一方が制限されるようにして、係止部分が基台等に係わり合うように組み付けられることをいう。支柱と基台は相互に組み付けられているので、支柱が地盤に倒れる変位と基台の載置部分の地盤から離隔する変位の一方が制限されることにより、他方の変位も制限される。また、アンカー部分が地盤に打設されるとは、アンカー部分が地表から地中に向かって打ち込まれて、地中に打ち込まれた部位が地盤に埋設状態で固着されることをいう。アンカー部分は鉛直方向に延びるように打設することも可能であるが、好ましくは、鉛直方向に対して傾斜して延びるように打設されることにより、アンカー部分が地盤から簡単に抜けることが防止される。
【００１７】
また、本発明に係る物干し台設置具においては、基台が上部から下部に向かって次第に寸法が大きくなる台形状とされている一方、係止部分が基台の中央部分を通って基台を跨いで延びる門形状を有する剛性材で形成されて、その中央部分が基台の天端面に重ね合わされると共に、その両側部分が基台の両側傾斜面に沿って延びて配設されるようになっており、係止部分の両下端にそれぞれアンカー部分が設けられている構造が、採用されても良い。このような構造によれば、台形状により地盤の載置安定性が向上された基台に対して、物干し台設置具が略全体に亘って該形状に沿うように取り付けられる。それ故、基台の変位が一層効果的に抑えられて、転倒防止効果の更なる向上が図られ得る。
【００１８】
また、本発明に係る物干し台設置具においては、係止部分が変形容易な網構造とされて基台の上面の全体を覆うように配設されるようになっていると共に、支柱が係止部分の中央部分に挿通されるようになっている構造が、採用されても良い。このような構造によれば、係止部分が基台の上面全体および支柱に係止されることによって、物干し台設置具の物干し台への取付状態が一層安定し、転倒防止効果の更なる向上が図られ得る。
【００１９】
また、本発明に係る物干し台設置具においては、係止部分は、支柱に対して係止される支柱用係止部と、支柱用係止部をアンカー部分に連結する連結部とを、含んで構成されている構造が、採用されても良い。このような構造によれば、要求される転倒防止効果や設置スペース、製作性等に応じて、支柱用係止部や連結部が設計変更されることにより、それらの要求特性が一層有利に満たされる。
【００２０】
また、上述の本発明に係る物干し台設置具においては、支柱の下端部に対して外挿状態で嵌め合わされる支柱嵌合リングによって、支柱用係止部が構成されている構造が、好適に採用される。これにより、支柱用係止部が、比較的に簡単な構造で実現され得る。
【００２１】
また、本発明に係る物干し台設置具においては、係止部分は、基台に対して係止される基台用係止部と、基台用係止部をアンカー部分に連結する連結部とを、含んで構成されている構造が、採用されても良い。このような構造によれば、要求される転倒防止効果や設置スペース、製作性等に応じて、基台用係止部や連結部が設計変更されることにより、それらの要求特性が一層有利に満たされる。
【００２２】
また、上述の本発明に係る物干し台設置具においては、基台が上部から下部に向かって次第に寸法が大きくなる台形状とされている一方、この基台の高さ方向中間部分に嵌め合わされる基台嵌合リングによって、基台用係止部が構成されている構造が、好適に採用される。このような構造によれば、基台の形状を利用して、係止部分の基台用係止部と基台の係止機構が簡単な構造で実現されることとなり、製造コストの低減化等が有利に図られ得る。
【００２３】
また、本発明に係る物干し台設置具においては、係止部分が金属材料で形成されていると共に、係止部分を覆う合成樹脂製の被覆部材が設けられている構造が、採用されても良い。このような構造によれば、係止部分の耐蝕性が向上されることに加え、係止部分が被覆部材を介して基台乃至は支柱に係止されることで、係止部分との接触に伴う基台や支柱の傷付きが抑えられることから、物干し台設置具を備えた物干し台の耐久性が一層有利に向上され得る。
【００２４】
さらに、本発明の特徴とするところは、前述の物干し台設置具が取り付けられた物干し台にある。
【発明を実施するための最良の形態】
【００２５】
以下、本発明を更に具体的に明らかにするために、本発明の実施形態について説明する。先ず、図１〜２には、本発明の物干し台設置具に係る第一の実施形態としての物干し台設置具１０が物干し台１２に取り付けられて、物干し台１２が地盤１４に設置された状態が示されている。以下の説明において、特に断りのない限り、上下方向乃至は鉛直方向は、図１中の上下方向をいい、左右方向乃至は水平方向は、図１中の左右方向をいう。
【００２６】
より詳細には、物干し台設置具１０は、係止部分１６と一対のアンカー部分１８，１８を含んで構成されている。これら係止部分１６とアンカー部分１８が、円形や多角形等の各種形状の断面で延びる棒状の剛性材を用いて形成されている。剛性材としては、例えば鋼やステンレス鋼等の金属材料やＦＲＰ等の合成樹脂材料が採用され、特に本実施形態では、異形棒鋼が用いられていることによって、係止部分１６およびアンカー部分１８の外周面が全体に亘って凹凸形状を呈している。
【００２７】
さらに、係止部分１６は、左右方向に長手状に延びる基台用係止部２０と、基台用係止部２０の両端部分からそれぞれ下方に向かって所定の角度で傾斜して延びる第一連結部２２，２２と、各第一連結部２２の下方端部と接続されて下方に延びる第二連結部２４，２４とを、含んで構成されている。本実施形態では、基台用係止部２０と一対の第一連結部２２，２２が一体形成されていると共に、それら基台用係止部２０及び第一連結部２２の一体構造物と一対の第二連結部２４，２４が、互いに別体形成されており、第一連結部２２の下方端部と第二連結部２４は、溶接やボルト等の他の固定部材を用いて固定されている。要するに、係止部分１６は、基台用係止部２０や各一対の第一及び第二連結部２２，２４が協働して門形状を有する異形棒鋼で形成されている。
【００２８】
また、基台用係止部２０および第一連結部２２の全体と第二連結部２４における第一連結部２２との接続部位から下方に所定の長さで延びる部分には、被覆部材としての薄肉のカバー部材２６が被着形成されている。カバー部材２６には、ポリエチレンやポリエステル等の各種の合成樹脂材料が採用される。なお、カバー部材２６が、異形棒鋼からなる係止部分１６の外周面に密着した状態で覆うように設けられていることで、カバー部材２６の外周面が、係止部分１６の外周面の形状に沿った凹凸形状を有している。
【００２９】
一方、アンカー部分１８は、第二連結部２４の下端部と一体形成されて該下端部から下方に延びていることによって、基台用係止部２０と略直交する方向に延びており、特に本実施形態では、一対のアンカー部分１８，１８が互いに略平行に延びている。このことからも明らかなように、アンカー部分１８が基台用係止部２０及び第一連結部２２，２２の一体構造物と別体形成されており、アンカー部分１８と一体形成された第二連結部２４，２４が第一連結部２２，２２と連結されることで、アンカー部分１８が、連結部としての各第一及び第二連結部２２，２４を介して基台用係止部２０と連結されている。
【００３０】
なお、本実施形態において、基台用係止部２０や第一及び第二連結部２２，２４、アンカー部分１８が、全体に亘って略同じ大きさの断面形状で延びていると共に、基台用係止部２０及び第一連結部２２と第二連結部２４及びアンカー部分１８が互いに別体形成されていたが、例えば、要求される地盤１４への固定力や物干し台１２への設置性、製作性等に応じて、基台用係止部や第一及び第二連結部、アンカー部分が一体形成されたり、各部位における断面の形状や大きさをそれぞれ異ならせたりすることも勿論可能である。
【００３１】
このような構造とされた物干し台設置具１０は、例えば図１〜３に示される如き物干し台１２に取り付けられるようになっている。物干し台１２には、公知のものが採用可能であることから、その詳細な説明は省略するが、物干し台１２は、支柱２８と基台３０を含んで構成されている。
【００３２】
支柱２８は、ステンレス鋼等の剛性材からなり、中空乃至は中実の一本の棒状若しくは複数本の棒を束ねた形状を呈している。支柱２８の一方（図３中、上）の端部側には、支柱２８から軸直角方向に突出して、支持部３２が設けられている。この支持部３２は、上方に向かって凹状に開口する凹所の底部に棒材を載置して支持せしめたり、或いは軸直角方向に開口する孔に棒材を挿通して孔の周縁部に載置して支持せしめたりすることが可能な構造とされている。
【００３３】
基台３０は、平面視が長手状の略矩形状を有していると共に、コンクリート製や金属製等の固形物若しくは合成樹脂製の中空の容器に水等が入れられた構造等の重量物からなる。特に、基台３０の軸方向（図１，３中、上下）の上端に位置する天端面３４が、軸方向中間部分乃至は下端部分の平面の大きさよりも小さな略矩形状を呈していると共に、天端面３４の周縁部と接する四方の面が、天端面３４から軸方向中間部分の側面に向かって傾斜していることで、基台３０が、上部から下部に向かって次第に寸法が大きくなる台形状を有している。
【００３４】
天端面３４の周縁部と接する四方の面において、天端面３４を挟んで基台３０の長手方向（図１，２中、左右）で対向位置せしめられた一対の傾斜面が、第一傾斜面３６，３６とされていると共に、かかる長手方向に直交する方向（図２中、上下）で対向位置せしめられた一対の傾斜面が、第二傾斜面３８，３８とされている。第一及び第二傾斜面３６，３８は、上部から下部に向かって幅寸法が次第に大きくなる台形状を有しており、第一傾斜面３６の幅寸法が第二傾斜面３８の幅寸法に比して小さくされているが、本実施形態に係る基台はこれに限定されるものでなく、例えば基台が平面視正方形状を有していることに基づき、第一及び第二傾斜面が全て同じ大きさとされていたり、或いは前述の第一傾斜面または第二傾斜面に相当する部分が、基台の側面と平行に延びるストレートな面とされていても良い。
【００３５】
また、基台３０の中央部分、望ましくは重心部分には、軸方向中間部分から軸方向に延びて天端面３４に開口する凹所４０が形成されている。凹所４０の軸直角方向断面は、支柱２８の軸直角方向断面よりも大きくされている。この凹所４０に支柱２８の他方（図１，３中、下）の端部が差し込まれて支持されることで、支柱２８が基台３０の天端面３４から上方に突出するように設けられており、基台３０の下端部が水平方向に広がる地盤１４に載置されることによって、支柱２８が略鉛直方向に延びる形態で、支柱２８の支持部３２が地盤１４から所定の高さ位置に保持されるようになっている。
【００３６】
例えば図３にも示されているように、かかる物干し台１２の一対が水平方向に所定距離を隔てて地盤１４に載置されると共に、長手棒状の物干し竿４２の両端付近が各物干し台１２の支持部３２に支持されることにより、物干し竿４２が、支柱２８の軸直角方向と略平行に延び、且つ地盤１４から所定の高さ位置（例えば、１〜２ｍ）で水平方向に延びる状態が維持されるようになっている。特に本実施形態では、かかる物干し竿４２の物干し台１２への取り付け下、物干し竿４２の長手方向（軸方向）が、物干し台１２の基台３０の長手方向に直交する方向と略平行に延びている。
【００３７】
ここで、支柱２８の下端部分を支持せしめた基台３０における天端面３４の当該支持部分（凹所４０）を挟んだ幅方向一方（例えば図２中、下）の側において、物干し台設置具１０における係止部分１６の基台用係止部２０が基台３０の長手方向（図２中、左右）と略平行に延びていると共に、物干し台設置具１０の一対のアンカー部分１８，１８が、基台３０を長手方向に跨いでおり、且つそれぞれ略鉛直方に延びている。而して、各アンカー部分１８が上方から地盤１４に打設されて、地中に埋入固着されていると共に、基台用係止部２０が、カバー部材２６を介して基台３０の天端面３４に重ね合わせられている。また、係止部分１６の第一連結部２２が基台３０の第一傾斜面３６に沿って延びるようにして第一傾斜面３６の上方に離隔配置されていると共に、係止部分１６の第二連結部２４が、基台３０の長手方向端部側の側面から僅かに長手方向外方に離隔した位置で鉛直方向に延びている。即ち、物干し台設置具１０の第二連結部２４およびアンカー部分１８の長さ寸法が基台３０の高さ方向（図１，３中、上下）の寸法に比して十分に大きくされていることに基づき、物干し台設置具１０の高さ寸法が、基台３０の高さ寸法に比して十分に大きくされていると共に、一対のアンカー部分１８，１８乃至は一対の第二連結部２４，２４の離隔距離が基台３０の長手寸法よりも僅かに大きくされていることによって、物干し台設置具１０の幅方向（図１，２中、左右）の寸法が、基台３０の長手寸法よりも僅かに大きくされているのである。
【００３８】
これにより、基台用係止部２０が各一対の第一及び第二連結部２２，２４を介して一対のアンカー部分１８，１８で地盤１４に固定されることとなり、この基台用係止部２０に重ね合わせられた基台３０が、アンカー部分１８の地盤１４への固定力を利用して基台用係止部２０に係止されて、基台３０の変位が制限されるようになっている。
【００３９】
特に本実施形態に係る物干し台設置具１０は、基台用係止部２０の長手方向（軸方向、図２中、上下）やアンカー部分１８の長手方向（軸方向、図１中、上下）がが物干し竿４２の軸直角方向と略平行に延びるようにして、物干し台設置具１０が物干し台１２に設置されている。また、基台用係止部２０が、支柱２８の下端部分を支持せしめた基台３０における天端面３４の当該支持部分（凹所４０）を挟んだ幅方向一方（図２中、下）の側において、支柱２８の基台３０から突出する部位に支柱２８の軸直角方向外方から重ね合わせられている。
【００４０】
上述の如き構造とされた物干し台設置具１０が設置された物干し台１２では、物干し竿４２に吊り下げられる図示しない洗濯物等に例えば図３中、左右方向から風圧力が及ぼされると、物干し竿４２が当該方向に変位する力が作用せしめられることに基づき、物干し竿４２を支持する支柱２８の支持部３２が基台３０を中心に回転する方向のモーメントが生ぜしめられて、物干し台１２が地盤１４に倒れる方向に変位する力がはたらく。
【００４１】
そこにおいて、物干し台１２の基台３０が物干し台設置具１０を介して地盤１４に固定的に支持されていることによって、基台３０の地盤１４に対する変位が抑えられるようになっている。
【００４２】
すなわち、基台用係止部２０が基台３０の天端面３４の長手方向に沿って重ね合わせられ、且つアンカー部分１８，１８が基台３０の長手方向両端部付近の地盤１４に打ち込まれていることによって、全体として門形状を有する物干し台設置具１０で基台３０を囲うようにして、物干し台設置具１０が物干し台１２に設置されている。このことから、基台３０が長手方向や長手方向に直交する方向に揺動したり、基台３０が地盤１４から離隔する方向に力が生ぜしめられても、アンカー部分１８の地盤１４に対する固定力に基づいて、基台用係止部２０で天端面３４が押さえ付けられる状態が保持されていることにより、基台３０の揺動や地盤１４から離隔する変位が抑えられるのである。
【００４３】
しかも、基台用係止部２０が基台３０から突出する支柱２８に対して支柱２８の軸直角方向外方から重ね合わせられて、基台３０の長手方向に直交する方向で重ね合わせられていることによって、基台３０と支柱２８若しくは基台３０との間におけるかかる直交方向の遊びも殆ど生ぜしめられないようになっていることから、基台３０の変位が一層抑えられるようになっている。
【００４４】
また、特に、係止部分１６の基台用係止部２０が基台３０の天端面３４上に重ね合わせられて配設されていると共に、アンカー部分１８が基台３０の長手方向両端から僅かに外方の外周部分の地盤１４に打設されていることによって、物干し台設置具１０の物干し台１２から外方への突出が抑えられている。その結果、物干し台設置具１０の地盤１４に対する設置スペースの小形化が有利に図られ得る。
【００４５】
加えて、本実施形態では、基台用係止部２０を基台３０の上方から被せるようにして天端面３４に重ね合わせると共に、アンカー部分１８を基台３０の周りの地盤１４に打設することによって、物干し台設置具１０を物干し台１２に取り付けることが可能であり、それによって、物干し台１２への取り付けが容易である。これにより、新たに地盤に設置される基台は勿論のこと、既に地盤に設置されている既存の基台に対しても容易に取り付けることが出来る。
【００４６】
それ故、本実施形態に係る物干し台設置具１０を備えた物干し台１２においては、物干し台１２の転倒防止効果が有利に発揮され得ると共に、地盤１２に対する設置スペースの小形化が有利に図られ得ることに加え、既存の基台（３０）にも有利に適用され得るのである。
【００４７】
また、本実施形態では、物干し台設置具１０の物干し台１２への取り付け状態下、外部に露出する基台用係止部２０や第一連結部２２、第二連結部２４がカバー部材２６で覆われていることによって、耐蝕性が向上されることに加え、物干し台設置具１０が基台３０に当接する際に、カバー部材２６で当接部分の傷付きが防止されることとなり、物干し台設置具１０および物干し台１２の双方の耐久性が有利に向上され得る。
【００４８】
さらに、本実施形態では、物干し台設置具１０における係止部分１６とアンカー部分１８が異形棒鋼を用いて形成されていることによって、優れた剛性を有する物干し台設置具１０が簡単な構造で有利に実現され得る。また、異形棒鋼の凹凸形状で、アンカー部分１８の外周面と地盤１４の接触面積が増大し、アンカー部分１８の固定力の更なる向上が図られ得る。加えて、薄肉のカバー部材２６で覆われた基台用係止部２０の外周面も凹凸形状とされることとなり、かかる凹凸形状の外周面が基台３０の天端面３４に引っ掛けるように重ね合わせられることで、基台用係止部２０の基台３０に対する係止力の更なる向上が図られ得る。
【００４９】
次に、図４には、本発明の物干し台設置具に係る第二の実施形態としての物干し台設置具５０が、物干し台１２に取り付けられた状態が示されている。なお、以下の設明において、前記実施形態と実質的に同一の構造とされた部材および部位については、図中に前記実施形態と同一の符号を付することにより、それらの詳細な説明を省略する。
【００５０】
詳細には、物干し台設置具５０における係止部分５２が、金属材や合成樹脂材、天然樹脂材等からなる細線状の剛性材を用いて形成されていることによって、十分な強度が確保されつつ、変形が比較的に容易とされている。また、係止部分５２の両端部分には、それぞれリング状の挿通部５１が固着されていると共に、異形棒鋼等の棒状の剛性材からなるアンカー部分５４が各挿通部５１に挿通されてアンカー部分５４のヘッド部が係止されることにより、一対のアンカー部分５４，５４が係止部分５２に連結されている。なお、アンカー部分５４と係止部分５２は、かかる挿通部５１を用いずに、係止部分５２の端部をアンカー部分５４に巻き付ける等して、溶接や接着剤等で直接に固定されても良い。
【００５１】
このような物干し台設置具５０においては、係止部分５２が、基台３０の天端面３４や第一傾斜面３６等の形状に沿うように変形して、それらの面に重ね合わせられると共に、アンカー部分５４，５４が、基台３０の外周部分の地盤１４に打設されることによって、物干し台１２に取り付けられるようになっている。特に本実施形態では、アンカー部分５４が鉛直方向に対して所定の角度で傾斜して延びる状態で地盤１４に打設されている。
【００５２】
これにより、本実施形態に係る物干し台設置具５０によれば、例えば、係止部分５２を基台３０の天端面３４や第一傾斜面３６等に隙間なく重ね合わせる必要がある場合において、係止部分５２の変形特性を活かしてそれらの形状に沿うように重ね合わせることが可能となり、係止部分５２の形状をそれらの形状に厳密に沿うように形成する手間が省かれることから、製造の容易化が有利に図られ得る。
【００５３】
次に、図５には、本発明の物干し台設置具に係る第三の実施形態としての物干し台設置具６０が、物干し台１２に取り付けられた状態が示されている。
【００５４】
詳細には、物干し台設置具６０における係止部分６２が、金属材や合成樹脂材、天然樹脂材等からなる細線状の剛性材の複数を用いて、変形容易な網構造とされている。また、係止部分６２の大きさが、地盤１４に載置された基台３０の外部に露出する、天端面３４や第一及び第二傾斜面３６，３８を含んでなる基台３０の上面よりも一回り大きくされている。また、係止部分６２の外周部分が、周方向に連続して延びる細線形状の剛性材によって、環状に縁取られている。
【００５５】
この係止部分６２が基台３０の上面の全体を覆うように配設されていると共に、支柱２８が係止部分６２の中央部分の網の目に挿通されている。また、係止部分６２の環状の外周部分が基台３０の外周部分の地盤１４に重ね合わせられていると共に、複数のアンカー部分６４が係止部分６２の外周部分に周方向に所定距離を隔てて配されて、地盤１４に固定される。かかるアンカー部分６４は、ペグやハーケン等の鉤状の金具からなり、係止部分６２の外周部分の細線を内側に入れ込んだ状態で、地盤１４に打設されることによって、係止部分６２と連結され、且つ係止部分６２を地盤１４に固定するようになっている。これにより、本実施形態に係る物干し台設置具６０が物干し台１２に取り付けられる。
【００５６】
なお、本実施形態では、支柱２８の係止部分６２の挿通が、係止部分６２の網の目を利用して行われているが、例えば係止部分６２に固着した特別なリング形状の部材等に支柱を挿通させることも可能である。
【００５７】
このような構造とされた物干し台設置具６０においては、係止部分６２が基台３０の上面の略全体を覆うようにして配設されていることによって、物干し台設置具６０の基台３０に対する接触部位が大きくなり、更にアンカー部分６４が基台３０の外周部分の複数箇所に打設されている。これにより、係止部分６２が基台３０に一層確実に係止されて、物干し台１２の転倒防止効果が一層有利に発揮され得る。
【００５８】
しかも、基台３０から突設される支柱２８が係止部分６２の中央部分に挿通されていることで、係止部分６２が支柱２８にも係止されることとなり、係止作用の更なる向上が図られ得るのである。
【００５９】
次に、図６には、本発明の物干し台設置具に係る第四の実施形態としての物干し台設置具７０が、物干し台１２に取り付けられた状態が示されている。
【００６０】
詳細には、物干し台設置具７０における係止部分７２が、支柱嵌合リング７４と複数の連結部７６を含んで構成されている。支柱嵌合リング７４は、金属材や合成樹脂材、天然樹脂材等からなる細線状乃至は板状の剛性材を用いて形成されており、支柱２８の太さよりも一回り大きなリング形状を呈している。
【００６１】
一方、連結部７６は、金属材や合成樹脂材、天然樹脂材等からなる細線状の剛性材からなり、一方の端部が支柱嵌合リング７４に連結されていると共に、他方の端部がアンカー部分５４に連結されている。本実施形態では、４つの連結部７６が、支柱嵌合リング７４の周方向に略等間隔に設けられている。
【００６２】
このような構造の物干し台設置具７０においては、係止部分７２の支柱嵌合リング７４が支柱２８に外挿されると共に、各連結部７６が基台３０の天端面３４から四方の第一傾斜面３６，３６や第二傾斜面３８，３８に沿って重ね合わせられるようになっており、更に各連結部７６と連結されたアンカー部分５４が地盤１４に打設されることで、物干し台１２に設置されるようになっている。
【００６３】
従って、本実施形態に係る物干し台設置具７０では、係止部分７２が支柱２８と基台３０にそれぞれ対応した形状の支柱嵌合リング７４と連結部７６を含んで構成されていることから、優れた係止作用が効率良く発揮され得る。
【００６４】
次に、図７には、本発明の物干し台設置具に係る第五の実施形態としての物干し台設置具８０が、物干し台１２に取り付けられた状態が示されている。
【００６５】
本実施形態の物干し台設置具８０における係止部分８２では、前記第四の実施形態の支柱嵌合リング７４に代えて基台嵌合リング８４が採用されている。基台嵌合リング８４は、リング状を有する金属材や合成樹脂材、天然樹脂材等からなる剛性材を用いて形成されていると共に、その内径寸法が、基台３０の天端面３４よりも大きくされ、且つ基台３０の各一対の第一傾斜面３６，３６と第二傾斜面３８，３８における各軸方向中間部分の幅寸法を合計した値よりも小さくされている。この基台嵌合リング８４に対して４つの連結部７６，７６，７６，７６が周方向に略等間隔に連結されている。
【００６６】
このような構造の物干し台設置具８０においては、係止部分８２の基台嵌合リング８４が基台３０の天端面３４から基台３０を軸方向に挿通して、基台３０の第一及び第二傾斜面３６，３８の各軸方向中間部分に重ね合わせられていることにより、基台嵌合リング８４が基台３０を嵌め込んだ形態で基台３０に係止されている。また、各連結部７６が基台嵌合リング８４から四方の第一傾斜面３６，３６や第二傾斜面３８，３８に沿って重ね合わせられるようになっており、更に各連結部７６と連結されたアンカー部分５４が地盤１４に打設されることで、物干し台設置具８０が物干し台１２に設置されるようになっている。
【００６７】
従って、本実施形態に係る物干し台設置具８０では、基台嵌合リング８４と複数の連結部７６を含んでなる係止部分８２によって基台３０により確実に係止されていることから、転倒防止効果の更なる向上が図られ得る。
【００６８】
次に、図８には、本発明の物干し台設置具に係る第六の実施形態としての物干し台設置具９０が、物干し台１２に取り付けられた状態が示されている。
【００６９】
詳細には、物干し台設置具９０における係止部分９２が、両用係止部９４と一対の連結部９６，９６を含んで構成されている。両用係止部９４は、図９にも拡大して示されているように、軸方向に略一定の断面形状で延びる筒状部９８と筒状部９８の一方（図９中、上）の端部から軸直角方向外方に広がる鍔状部１００を含んで構成されており、鋼材等の金属材や硬質の合成樹脂材を用いて形成されている。
【００７０】
筒状部９８の外周面は基台３０の凹所４０の周壁面に対応した形状とされており、筒状部９８の外形寸法が凹所４０の内法寸法よりも僅かに小さくされている一方、筒状部９８の内周面は支柱２８の外周面に対応した形状とされており、筒状部９８の内法寸法が、支柱２８の外形寸法よりも僅かに大きくされている。
【００７１】
このような筒状部９８が支柱２８と基台３０の凹所４０の間の隙間を利用して嵌め込まれており、筒状部９８が凹所４０に内挿されると共に、支柱２８に外挿されている。
【００７２】
また、両用係止部９４の鍔状部１００が基台３０の凹所４０まわりの天端面３４に重ね合わせられている。更に、鍔状部１００には、中央を挟んで軸直角方向一方向で対向位置せしめられるようにして一対の通孔１０２，１０２が形成されていると共に、基台３０において各通孔１０２と軸方向で対向位置せしめられた部位には、天端面３４に向かって開口する係止穴１０４が設けられている。
【００７３】
一方、係止部分９２における連結部９６は、金属材や合成樹脂材、天然樹脂材等からなる細線状の剛性材からなり、その一方の端部には、軸方向（図８，９中、上下）に延びる係止ピン１０６が形成されていると共に、他方の端部がアンカー部分５４に連結されている。
【００７４】
そして、各連結部９６の係止ピン１０６が、両用係止部９４の鍔状部１００の各通孔１０２を通じて基台３０の係止穴１０４に差し込まれて係止されると共に、連結部９６が基台３０の天端面３４から第一乃至は第二傾斜面３６，３８に沿って延びており、更にアンカー部分５４が基台３０の外周部分の地盤１４に打設されるようになっている。これにより、両用係止部９４および一対の連結部９６，９６からなる係止部分９２と一対のアンカー部分５４，５４を含んでなる物干し台設置具９０が、物干し台１２に取り付けられるようになっている。
【００７５】
本実施形態に係る物干し台設置具９０においては、両用係止部９４で基台３０と支柱２８が相互に係止されていることから、部品点数の増加を抑えつつ、目的とする転倒防止効果が一層安定して得られるようになっている。
【００７６】
なお、本実施形態では、連結部９６の係止ピン１０６が、鍔状部１００の通孔１０２を貫通して基台３０に形成された係止穴１０４に係止されるようになっていたが、これに限定されるものでなく、例えば係止穴を基台３０に設けずに、厚さ寸法が大きくされた鍔状部に形成することによって、連結部が両用係止部にだけ係止されるようにしても良い。
【００７７】
次に、図１０には、本発明の物干し台設置具に係る第七の実施形態としての物干し台設置具１１０が、物干し台１２に取り付けられた状態が示されている。
【００７８】
本実施形態の物干し台設置具１１０における係止部分１１２が、前記第六の実施形態に係る一対の連結部９６，９６を含んで構成されており、各連結部９６の一方の端部に形成された係止ピン１０６が、支柱２８と基台３０の凹所４０の間の隙間に差し込まれて係止されるようになっている。
【００７９】
このような物干し台設置具１１０では、簡単な構造で支柱２８および基台３０に係止される係止部分１１２が実現されることとなり、製造コストの削減化等が一層有利に図られ得る。
【００８０】
次に、図１１には、本発明の物干し台設置具に係る第八の実施形態としての物干し台設置具１２０が、物干し台１２に取り付けられた状態が示されている。
【００８１】
詳細には、物干し台設置具１２０における係止部分１２２が、支柱用係止部１２４と一対の連結部１２６，１２６を含んで構成されている。支柱用係止部１２４は、周方向に連続して延びる環状の板形状を有していると共に、鋼材等の金属材や硬質の合成樹脂材を用いて形成されている。支柱用係止部１２４の内法寸法が、支柱２８の外形寸法よりも大きくされていると共に、凹所４０の内法寸法と同じかそれよりも大きくされている。
【００８２】
また、支柱用係止部１２４には、中央を挟んで軸直角方向一方向で対向位置せしめられるようにして一対の係止ピン１２８，１２８が上方に向かって突設されている。
【００８３】
一方、係止部分１２２における連結部１２６は、金属材や合成樹脂材、天然樹脂材等からなる細線状の剛性材からなり、その一方の端部には、環状の係止リング１３０が形成されていると共に、他方の端部がアンカー部分５４に連結されている。
【００８４】
そして、支柱用係止部１２４が、基台３０の凹所４０まわりの天端面３４に重ね合わせられてボルトや接着剤等で固定されていると共に、支柱２８に外挿されている。また、各連結部１２６の係止リング１３０が、支柱用係止部１２４の各係止ピン１３０に掛けられて係止されると共に、連結部１２６が基台３０の天端面３４から第一乃至は第二傾斜面３６，３８に沿って延びており、更にアンカー部分５４が基台３０の外周部分の地盤１４に打設されるようになっている。これにより支柱用係止部１２４および一対の連結部１２６，１２６からなる係止部分１２２と一対のアンカー部分５４，５４を含んでなる物干し台設置具１２０が、物干し台１２に取り付けられるようになっている。
【００８５】
本実施形態に係る物干し台設置具１２０においては、基台３０に固定された支柱用係止部１２４に支柱２８が内挿状態で係止されるようになっていることから、支柱２８の基台３０に対する支持安定性がより向上されて、目的とする転倒防止効果が一層安定して得られるようになっている。
【００８６】
次に、図１２には、本発明の物干し台設置具に係る第九の実施形態としての物干し台設置具１４０が、物干し台１２に取り付けられた状態が示されている。
【００８７】
本実施形態の物干し台設置具１４０における係止部分１４２が、支柱用係止部としての複数の係止ピン１４４と、例えば前記第八の実施形態に記載のものと同様な部材からなる複数の連結部１２６を含んで構成されている。本実施形態では、係止ピン１４４と連結部１２６が各一対設けられている。
【００８８】
係止ピン１４４は、軸方向に略一定の断面或いは先細状等の各種形状をもって延びる棒状乃至は板状とされ、且つその一方の端部である外方突出側の端部が軸直角方向に向かってカギ状に折り返して屈曲又は湾曲した形状を有している。この係止ピン１４４は、硬質の部材であって、例えば鋼材等の金属材や硬質の合成樹脂材を用いて形成されるのが望ましい。このような係止ピン１４４の軸方向他方の端部が、基台３０の天端面３４から上方に離隔した所定の高さ位置で支柱２８に固定されており、係止ピン１４４における軸方向一方の端部の屈曲した部分が、支柱２８から略軸直角方向外方に突出し、且つ上方に向かって延びている。
【００８９】
係止ピン１４４と支柱２８の固定手段としては、例えば、支柱２８において外周面に開口する固定用穴に係止ピン１４４の軸方向端部を差し込んで溶接や接着剤等を用いて固着したり、係止ピン１４４の外周面と支柱２８の固定用穴の内周面に螺子溝を設けて、係止ピン１４４を固定用穴に螺着固定したりすること等が、好適に採用される。
【００９０】
また、本実施形態では、一対の係止ピン１４４，１４４が、基台３０の天端面３４から略同じ高さ位置で、支柱２８の中心軸を挟んだ径方向一方向でそれぞれ径方向外方に延びるように固定されているが、例えば複数の係止ピンを支柱の高さ方向でそれぞれ異なる位置に固定したり、３つ以上の係止ピンを支柱の周方向に所定距離を隔てて固定したりしても良い。
【００９１】
そして、各連結部１２６の中間部分が基台３０の第一乃至は第二傾斜面３６，３８に沿って延びており、連結部１２６の一方の端部に設けられた係止リング１３０が、各係止ピン１４４の上方に延びる突出部分に掛けられて係止されると共に、連結部１２６の他方の端部に設けられたアンカー部分５４が、基台３０の外周部分の地盤１４に打設されるようになっている。即ち、各連結部１２６の係止リング１３０側の端部が、基台３０の天端面３４よりも上方に位置せしめられて、係止ピン１４４を介して支柱２８に係止されていることにより、係止ピン１４４や連結部１２６を含んでなる係止部分１４２において支柱２８側に係止される部位が、基台３０の天端面３４から所定の高さだけ鉛直上方に位置して設けられている。
【００９２】
このような構造とされた物干し台設置具１４０においては、係止部分１４２の支柱２８側に係止される部位が、基台３０の天端面３４から所定の高さ位置に設けられていることによって、アンカー部分５４の地盤１４への固定力が物干し台１２の転倒防止方向のモーメントとしてより有効に作用する。
【００９３】
なお、本発明はかかる実施形態の構造に限定されるものでなく、例えば、一対の係止ピン１４４，１４４を直線的に延びるロッド状に一本形成して、支柱２８に貫設した径方向孔に挿通し、その両端部を支柱２８から外方に突出させて、そこに各連結部１２６，１２６の先端を係止しても良い。或いは、中空パイプ構造の支柱２８の周壁部に貫通孔を形成すると共に、この貫通孔に対して連結部１２６の先端を挿し入れて貫通孔からの抜け出しを阻止する引っ掛かりを設けること等によって、連結部１２６の先端を直接に支柱２８に係止しても良い。この場合には、支柱２８の貫通孔と抜け出しを阻止する引っ掛かり等によって係止部分が構成される。また、支柱２８に貫設した径方向孔にワイヤ等の連結部１２６を挿通したり、或いは支柱２８の外周面にワイヤ等の連結部１２６を巻き付けたりすることで、連結部１２６を支柱２８に対して直接に係止することも可能である。この場合には、連結部１２６の支柱２８に対する挿通構造や巻き付け構造によって係止部分が構成される。
【００９４】
次に、図１３には、本発明の物干し台設置具に係る第十の実施形態としての物干し台設置具１５０が、物干し台１２に取り付けられた状態が示されている。
【００９５】
本実施形態の物干し台設置具１５０における係止部分１５２が、支柱用係止部１５４と前記第六の実施形態に記載のものと同様な部材からなる複数（本実施形態では４つ）の連結部９６を含んで構成されている。支柱用係止部１５４は、周方向に連続して延びる環状を有しており、好適には鋼材等の金属材や硬質の合成樹脂材を用いて形成されている。支柱用係止部１５４の内径寸法が、支柱２８の外径寸法よりも大きくされている。また、支柱用係止部１５４には、厚さ方向に貫通する挿通孔１５６の複数が周方向に所定距離を隔てて設けられている。
【００９６】
また、支柱２８の外周面における基台３０の天端面３４から上方に離隔した所定の高さ位置には、位置決め凸部１５８が突設されている。位置決め凸部１５８には、支柱２８にボルト固定されるボルト構造や、支柱２８の凹所に差し込まれるピン構造の他、溶接やリベット等で取り付けられた突出部等が採用される。
【００９７】
支柱用係止部１５４が、支柱２８の上方の端部から挿入されたり、或いは周方向で分割されたものが支柱２８の径方向外方から支柱２８を囲うように組み付けられて環状とされる等して、支柱２８の位置決め凸部１５６に上方から重ね合わせられている。これにより、支柱用係止部１５４が基台３０の天端面３４から上方に離隔した所定の高さ位置に設けられている。
【００９８】
そして、各連結部９６の中間部分が基台３０の第一乃至は第二傾斜面３６，３８に沿って延びており、連結部９６の一方の端部に設けられた係止ピン１０６が、支柱用係止部１５６の各挿通孔１５６に挿通されて係止されると共に、連結部９６の他方の端部に設けられたアンカー部分５４が、基台３０の外周部分の地盤１４に打設されるようになっている。即ち、本実施形態に係る係止部分１５２の支柱２８側に係止される部位が、前記第九の実施形態と同様に、基台３０の天端面３４から所定の高さ位置に設けられている。
【００９９】
その結果、本実施形態に係る物干し台設置具１５０においては、係止部分１５２の支柱２８側に係止される部位が、基台３０の天端面３４から所定の高さ位置に設けられていることによって、アンカー部分５４の地盤１４への固定力が物干し台１２の転倒防止方向のモーメントとしてより有効に作用する。
【０１００】
特に本実施形態では、係止部分１５２の支柱２８側への係止部分１５２に環状の支柱用係止部１５４を設けて、周方向に複数の連結部９６を連結して地盤１４に固定するようにしたことから、支柱２８の地盤１４に対する支持安定性が一層向上される。
【０１０１】
以上、本発明の実施形態について詳述してきたが、これら実施形態における具体的な記載によって、本発明は、何等限定されるものでなく、当業者の知識に基づいて種々なる変更、修正、改良等を加えた態様で実施可能であり、また、そのような実施態様が、本発明の趣旨を逸脱しない限り、何れも、本発明の範囲内に含まれるものであることは、言うまでもない。
【０１０２】
例えば、前記実施形態では、物干し台設置具が各物干し台に一つずつ設けられていたが、二つ以上設けることも可能である。物干し台設置具を二つ以上設ける場合には、全て同じ構造のものを用いても良いし、或いは、第一乃至第八の実施形態その他の本発明の技術的範囲に含まれる形態の物干し台設置具を適宜に組み合わせて採用しても良い。
【図面の簡単な説明】
【０１０３】
【図１】本発明の第一の実施形態としての物干し台設置具を備えた物干し台が地盤に設置された状態の要部を拡大して示す縦断面図。
【図２】同物干し台の横断面図。
【図３】同物干し台の一対に物干し竿を掛け渡した状態を示す斜視図。
【図４】本発明の第二の実施形態としての物干し台設置具が物干し台に取り付けられた状態を示す斜視図。
【図５】本発明の第三の実施形態としての物干し台設置具が物干し台に取り付けられた状態を示す斜視図。
【図６】本発明の第四の実施形態としての物干し台設置具が物干し台に取り付けられた状態を示す斜視図。
【図７】本発明の第五の実施形態としての物干し台設置具が物干し台に取り付けられた状態を示す斜視図。
【図８】本発明の第六の実施形態としての物干し台設置具が物干し台に取り付けられた状態を示す斜視図。
【図９】図８に係る物干し台設置具の要部を拡大して示す縦断面図。
【図１０】本発明の第七の実施形態としての物干し台設置具が物干し台に取り付けられた状態を示す斜視図。
【図１１】本発明の第八の実施形態としての物干し台設置具が物干し台に取り付けられた状態を示す斜視図。
【図１２】本発明の第九の実施形態としての物干し台設置具が物干し台に取り付けられた状態を示す斜視図。
【図１３】本発明の第十の実施形態としての物干し台設置具が物干し台に取り付けられた状態を示す斜視図。
【符号の説明】
【０１０４】
１０：物干し台設置具、１２：物干し台、１４：地盤、１６：係止部分、１８：アンカー部分、２８：支柱、３０：基台
【図１】
2008307300.tif 000003
【図２】
2008307300.tif 000004
【図３】
2008307300.tif 000005
【図４】
2008307300.tif 000006
【図５】
2008307300.tif 000007
【図６】
2008307300.tif 000008
【図７】
2008307300.tif 000009
【図８】
2008307300.tif 000010
【図９】
2008307300.tif 000011
【図１０】
2008307300.tif 000012
【図１１】
2008307300.tif 000013
【図１２】
2008307300.tif 000014
【図１３】
2008307300.tif 000015
【手続補正書】
【提出日】平成19年11月12日(2007.11.12)
【手続補正１】
【補正対象書類名】特許請求の範囲
【補正対象項目名】全文
【補正方法】変更
【補正の内容】
【特許請求の範囲】
【請求項１】
地盤に載置される基台と該基台によって支持されて上方に突設される支柱とを有する物干し台の設置に用いられて、該物干し台の転倒を防止する物干し台設置具において、
前記基台の上に配設されて該基台と前記支柱下端部分との少なくとも一方に対して係止される係止部分と、該基台の外周部分において前記地盤に打設される複数のアンカー部分とを設けて、該基台の外周部分の複数箇所において該係止部分を該アンカー部分で該地盤に固定するようになっており、
前記係止部分は、前記支柱に対して係止される支柱用係止部と、該支柱用係止部を前記アンカー部分に連結する連結部とを、含んで構成されていると共に、
前記支柱の下端部に対して外挿状態で嵌め合わされる支柱嵌合リングによって、前記支柱用係止部が構成されていることを特徴とする物干し台設置具。
【請求項２】
前記係止部分が金属材料で形成されていると共に、該係止部分を覆う合成樹脂製の被覆部材が設けられている請求項１に記載の物干し台設置具。
【請求項３】
請求項１又は２に記載の物干し台設置具が取り付けられたことを特徴とする物干し台。
【手続補正２】
【補正対象書類名】明細書
【補正対象項目名】００１２
【補正方法】変更
【補正の内容】
【００１２】
すなわち、本発明の特徴とするところは、地盤に載置される基台と基台によって支持されて上方に突設される支柱とを有する物干し台の設置に用いられて、物干し台の転倒を防止する物干し台設置具において、基台の上に配設されて基台と支柱下端部分との少なくとも一方に対して係止される係止部分と、基台の外周部分において地盤に打設される複数のアンカー部分とを設けて、基台の外周部分の複数箇所において係止部分をアンカー部分で地盤に固定するようになっており、係止部分は、支柱に対して係止される支柱用係止部と、支柱用係止部をアンカー部分に連結する連結部とを、含んで構成されていると共に、支柱の下端部に対して外挿状態で嵌め合わされる支柱嵌合リングによって、支柱用係止部が構成されている物干し台設置具にある。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】変更
【補正の内容】
【００１９】
また、本発明に係る物干し台設置具においては、要求される転倒防止効果や設置スペース、製作性等に応じて、支柱用係止部や連結部が設計変更されることにより、それらの要求特性が一層有利に満たされる。
【手続補正６】
【補正対象書類名】明細書
【補正対象項目名】００２０
【補正方法】変更
【補正の内容】
【００２０】
また、上述の本発明に係る物干し台設置具においては、支柱用係止部が、比較的に簡単な構造で実現され得る。
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正書】
【提出日】平成20年1月25日(2008.1.25)
【手続補正１】
【補正対象書類名】特許請求の範囲
【補正対象項目名】請求項１
【補正方法】変更
【補正の内容】
【請求項１】
地盤に載置される基台と該基台によって支持されて上方に突設される支柱とを有する物干し台の設置に用いられて、該物干し台の転倒を防止する物干し台設置具において、
前記基台の上に配設されて前記支柱下端部分に対して係止される係止部分と、該基台の外周部分において前記地盤に打設される複数のアンカー部分とを設けて、該基台の外周部分の複数箇所において該係止部分を該アンカー部分で該地盤に固定するようになっており、
前記係止部分は、前記支柱に対して係止される支柱用係止部と、該支柱用係止部を前記アンカー部分に連結する連結部とを、含んで構成されていると共に、
前記支柱の下端部に対して外挿状態で嵌め合わされる支柱嵌合リングによって、前記支柱用係止部が構成されていることを特徴とする物干し台設置具。
【手続補正２】
【補正対象書類名】明細書
【補正対象項目名】００１２
【補正方法】変更
【補正の内容】
【００１２】
すなわち、本発明の特徴とするところは、地盤に載置される基台と該基台によって支持されて上方に突設される支柱とを有する物干し台の設置に用いられて、該物干し台の転倒を防止する物干し台設置具において、前記基台の上に配設されて前記支柱下端部分に対して係止される係止部分と、該基台の外周部分において前記地盤に打設される複数のアンカー部分とを設けて、該基台の外周部分の複数箇所において該係止部分を該アンカー部分で該地盤に固定するようになっており、前記係止部分は、前記支柱に対して係止される支柱用係止部と、該支柱用係止部を前記アンカー部分に連結する連結部とを、含んで構成されていると共に、前記支柱の下端部に対して外挿状態で嵌め合わされる支柱嵌合リングによって、前記支柱用係止部が構成されている物干し台設置具にある。